(57)【特許請求の範囲】
【請求項１】
筐体内に配置された光源ボックスと前記筐体の前部に配置されたレンズの何れか一方が可動体として前後方向に移動可能に設けられ、当該可動体を前後方向に移動させることによりストロボ照射角を変更するストロボズーム装置であって、
前記筐体に自身の中心軸線周りに回転可能に取り付けられて前後方向に延在し、外周面にねじ溝を形成された送りねじ棒部材と、
前記筐体に取り付けられ、前記送りねじ棒部材を回転駆動する電動モータと、
前記可動体に取り付けられ、前記ねじ溝の少なくとも一部に巻き掛り係合するワイヤ部材とを有し、
前記ワイヤ部材は、前記ねじ溝に巻き掛り係合する部分の両端に、前記送りねじ棒部材の中心軸線を直交する方向に延在する延長端線部を有し、当該延長端線部の先端部あるいは先端近傍部が前記可動体に固定された固定部となっており、
前記延長端線部の前記可動体に対する前記固定部と前記ねじ溝に巻き掛り係合する部分との間において、前記延長端線部を前後方向ギャップをあけて前後に挟む制限部が前記可動体に設けられ、当該制限部は、前記延長端線部が前記前後方向に弾性変形するのを前記ギャップの範囲内で許容し、当該範囲を超えた前記延長端線部の前記前後方向の弾性変形を制限するストロボズーム装置。
【請求項２】
前記固定部は、前記延長端線部の端部あるいは先端近傍部を前後から挟むことにより、当該延長端線部の先端部あるいは先端近傍部を前記可動体に係止すべく、前記延長端線部の線径に等しいか、それより少し小さい前後間隔をあけて対をなして前記可動体に突出形成されたワイヤ係止突起部によって構成され、
前記制限部は、前記延長端線部の線径より大きい前後間隔をあけて対をなして前記可動体に突出形成されたワイヤ移動制限突起部によって構成されている請求項１に記載のストロボズーム装置。
【請求項３】
前記ワイヤ部材は、前記ねじ溝に巻き掛り係合する部分として、前記ねじ溝を少なくとも一周する螺旋形状部を含んでいる請求項１または２に記載のストロボズーム装置。
【請求項４】
前記ワイヤ部材は、ばね線材により構成されている請求項１〜３の何れか一項に記載のストロボズーム装置。
【発明の詳細な説明】
【技術分野】
【０００１】
本発明は、ストロボズーム装置に関し、特に、電動送りねじ式のストロボズーム装置に関するものである。
【背景技術】
【０００２】
筐体内に前後方向に移動可能に配置された光源ボックスを電動式の送りねじ機構によって前後方向に移動させることにより、光源ボックスの前方に配置されるレンズと光源ボックスとの光軸方向距離を変化させ、被写体に対するストロボ光の照射角（ストロボ照射角）を変更する電動送りねじ式のストロボズーム装置が知られている。
【０００３】
電動送りねじ式のストロボズーム装置では、筐体に送りねじ棒部材が回転可能に取り付けられ、光源ボックスに雌ねじ部材が取り付けられ、送りねじ棒部材に外周に形成されているねじ溝に、雌ねじ部材に形成されたねじ突条がねじ係合し、送りねじ棒部材の回転によって雌ねじ部材が直線移動することにより、光源ボックスが前後方向に移動することで、ズーム動作を行う。
【先行技術文献】
【特許文献】
【０００４】
【特許文献１】特開２００３−８４３４０号公報
【発明の開示】
【発明が解決しようとする課題】
【０００５】
電動送りねじ式のストロボズーム装置では、ズーム動作時に、送りねじ棒部材の回転に伴うねじ係合部の摺動によって動作音（騒音）が発生する。特に、ストロボズーム装置は、カメラに取り付けられてカメラと共に撮影者の顔部近くに位置することになるので、撮影者は電動送りねじの動作音、つまりズーム動作音を聞き取り易く、動作音の音圧レベルが低くても耳障りなものになる。
【０００６】
本発明が解決しようとする課題は、電動送りねじ式のストロボズーム装置において、電動送りねじによるズーム動作音の音圧レベルを低減し、静かにストロボ撮影を行えるようにすることである。
【課題を解決するための手段】
【０００７】
本発明によるストロボズーム装置は、筐体内に配置された光源ボックスと前記筐体の前部に配置されたレンズの何れか一方が可動体として前後方向に移動可能に設けられ、当該可動体を前後方向に移動させることによりストロボ照射角を変更するストロボズーム装置であって、前記筐体に自身の中心軸線周りに回転可能に取り付けられて前後方向に延在し、外周面にねじ溝を形成された送りねじ棒部材と、前記筐体に取り付けられ、前記送りねじ棒部材を回転駆動する電動モータと、前記可動体に取り付けられ、前記ねじ溝の少なくとも一部に巻き掛り係合するワイヤ部材とを有する。
【０００８】
この構成によれば、送りねじの雌ねじ部材がワイヤ部材によって構成され、送りねじ棒部材の回転に伴い発生するねじ溝とワイヤ部材との摺動によるズーム動作音は、ワイヤ部材の弾性変形によって振動エネルギが吸収され、吸音（消音）される。
【０００９】
ワイヤ部材は、摺動音吸収のために、適度に弾性変形するものとして、ばね線材により構成されていることが好ましく、このワイヤ部材として好適なばね線材としては、ばね鋼、ステンレス鋼、りん青銅、プラスチック等による線材が挙げられる。
【００１０】
本発明によるストロボズーム装置は、好ましくは、前記ワイヤ部材は、前記ねじ溝に巻き掛り係合する部分の両端に、送りねじ棒部材の中心軸線を直交する方向に延在する延長端線部を有し、当該延長端線部の先端部あるいは先端近傍部が前記可動体に固定されている。
【００１１】
この構成によれば、延長端線部の弾性変形によって振動エネルギが良好に吸収され、ズーム動作音の低減が良好に行われる。
【００１２】
本発明によるストロボズーム装置は、好ましくは、前記延長端線部の前記可動体に対する固定部より前記ねじ溝に巻き掛り係合する部分の側に、前記延長端線部が前記送りねじ棒部材の中心軸線方向に弾性変形することを制限する制限部が前記可動体に形成されている。
【００１３】
この構成によれば、延長端線部の弾性変形によるズーム動作音の低減作用が阻害されないことを保証した上で、電動モータの暴走等によって送りねじ棒部材が規定値以上回転した際に延長端線部が過剰に弾性変形することが防止され、ワイヤ部材がねじ溝との巻き掛り係合より離脱したり、ワイヤ部材が可動体より外れることが回避される。
【００１４】
本発明によるストロボズーム装置は、好ましくは、前記ワイヤ部材は、前記ねじ溝に巻き掛り係合する部分として、前記ねじ溝を少なくとも一周する螺旋形状部を含んでいる。
【００１５】
この構成によれば、ワイヤ部材とねじ溝との巻き掛り係合が離脱し難く、安定したズーム動作が得られる。
【発明の効果】
【００１６】
本発明によるストロボズーム装置は、送りねじの雌ねじ部材がワイヤ部材によって構成され、送りねじ棒部材の回転に伴い発生するねじ溝とワイヤ部材との摺動によるズーム動作音は、ワイヤ部材の弾性変形によって振動エネルギが吸収され、吸音（消音）される。これにより、ズーム動作音の音圧レベルが低減し、静かにストロボ撮影を行えるようになる。
【図面の簡単な説明】
【００１７】
【図１】本発明によるストロボズーム装置の一つの実施例を示す斜視図。
【図２】本実施例によるストロボズーム装置の要部の拡大斜視図。
【図３】本実施例によるストロボズーム装置の要部の平面図。
【図４】本実施例によるストロボズーム装置に用いられるワイヤ部材の一例を示す正面図。
【図５】本実施例によるストロボズーム装置に用いられるワイヤ部材の一例を示す平面図。
【図６】本実施例によるストロボズーム装置に用いられるワイヤ部材の他の例を示す正面図。
【発明を実施するための形態】
【００１８】
この発明によるストロボズーム装置の一つの実施例を、図１〜図５を参照して説明する。
【００１９】
ストロボズーム装置は、前方開口の長方体箱形の合成樹脂製の筐体１０を有する。筐体１０の前部には筐体１０の前方開口部を塞ぐように、フレネルレンズによる平面レンズ板１２が取り付けられている。
【００２０】
筐体１０には前後方向に延在する２本のガイドバー１４が互いに平行に取り付けられている。筐体１０内には光源ボックス２０が配置されている。光源ボックス２０は、合成樹脂製で、筐体１０より小さい前方開口の長方体箱形している。光源ボックス２０は上部に２個のスリーブ部２２を前後方向に互いに平行に一体成形されている。スリーブ部２２は、各々、ガイドバー１４に摺動自在に係合している。これにより、光源ボックス２０は、可動体として筐体１０内を前後方向に平行移動することができる。
【００２１】
光源ボックス２０内には、キセノン放電管等による線形光源２４と、凹面反射鏡２６が取り付けられている。光源ボックス２０の前部には光源ボックス２０の前方開口部を塞ぐように、光透過性板材による発光面板２８が取り付けられている。
【００２２】
筐体１０には、筐体１０の後部に固定された取付板１６によって送りねじ棒部材３０の基端部が回転可能に取り付けられている。送りねじ棒部材３０は、取付板１６によって筐体１０より自身の中心軸線周りに回転可能に支持され、ガイドバー１４と平行に、前後方向に延在している。取付板１６にはサーボモータ等による電動モータ１８が取り付けられている。電動モータ１８の図示されてないロータ軸（出力回転軸）は、送りねじ棒部材３０の基端部に直結されている。これにより、送りねじ棒部材３０は電動モータ１８によってダイレクトに回転駆動される。
【００２３】
送りねじ棒部材３０の外周面には一連のねじ溝３２（図３参照）を形成されている。ねじ溝３２の溝断面形状は、半円、台形、Ｖ形の何れであってもよい。
【００２４】
光源ボックス２０の上部にはワイヤ部材３４が取り付けられている。ワイヤ部材３４は、送りねじ棒部材３０のねじ溝３２に巻き掛り係合する部分として、ねじ溝３２を一周半する螺旋形状部３４Ａと、螺旋形状部３４Ａの両端より送りねじ棒部材３０の中心軸線を直交する水平方向（左右方向）に、且つ螺旋形状部３４Ａの中心を横切る方向に延在する左右一対の延長端線部３４Ｂとを有する。
【００２５】
ワイヤ部材３４は、全体を送りねじ棒部材３０の回転に伴うねじ溝３２と螺旋形状部３４Ａとの摺動音吸収のために、適度な弾性を有するばね線材により構成されている。このワイヤ部材３４として好適なばね線材としては、ばね鋼、ステンレス鋼、りん青銅、プラスチック等による線材が挙げられる。
【００２６】
光源ボックス２０の上部の左右方向中央部には、ねじ棒部材３０との干渉を避けるための凹部２１が形成されており、凹部２１にねじ棒部材３０が位置している。凹部２１の左右両側には各々対をなすワイヤ係止突起部３６が一体成形されている。左右のワイヤ係止突起部３６は、各々、延長端線部３４Ｂの線径に等しいか、それより少し小さい前後間隔をあけて対をなし、左右の延長端線部３４Ｂの先端近傍部を前後から挟むようにして光源ボックス２０の上部に係止（固定）している。なお、この係止は、延長端線部３４Ｂの先端部で行われてもよい。
【００２７】
凹部２１の左右両側には、ワイヤ係止突起部３６より凹部２１に近い側に、各々対をなすワイヤ移動制限突起部３８が一体成形されている。左右のワイヤ移動制限突起部３８は、延長端線部３４Ｂの線径より大きい前後間隔をあけて対をなし、ワイヤ係止突起部３６による延長端線部３４Ｂの光源ボックス２０に対する固定部より螺旋形状部３４Ａに近い部分を、前後方向ギャップｇ（図３参照）をあけて前後より挟んでいる。
【００２８】
これにより、延長端線部３４Ｂは、前後方向ギャップｇの範囲内で前後方向（送りねじ棒部材３０の中心軸線方向）の弾性変形を許容され、それ以上、前後方向に弾性変形することを制限される。
【００２９】
上述の構成によるストロボズーム装置によれば、電動モータ１８によって送りねじ棒部材３０が回転駆動されると、ワイヤ部材３４の螺旋形状部３４Ａが送りねじ棒部材３０のねじ溝３２に巻き掛り係合していることにより、光源ボックス２０がガイドバー１４に案内されて前後方向に平行する。この移動によって光源ボックス２０と平面レンズ板１２との光軸方向の距離が変化し、線形光源２４の閃光によって平面レンズ板１２より被写体に対して照射されるストロボ光の照射角が変化する。このストロボ光の照射角変化がストロボズームである。
【００３０】
このストロボズーム動作において、送りねじ棒部材３０の回転に伴い螺旋形状部３４Ａに対してねじ溝３２が摺動し、摩擦による振動によって騒音、つまりズーム動作音が発生しようとする。しかし、この振動によってワイヤ部材３４が弾性変形、特に延長端線部３４Ｂが弾性変形し、弾性変形によって振動エネルギが吸収される。これにより、吸音（消音）効果が得られ、ズーム動作音の音圧レベルが低減し、静かにストロボ撮影を行えるようになる。
【００３１】
また、部品の寸法精度誤差や組み付け誤差等によって送りねじ棒部材３０とガイドバー１４との平行度や送りねじ棒部材３０の真直度が正しくなくても、延長端線部３４Ｂの弾性変形により、送りねじ棒部材３０と雌ねじ部材をなすワイヤ部材３４とでこじれを生じることがなく、こじれによる異音発生も未然に防止できる。
【００３２】
延長端線部３４Ｂの弾性変形の度合いは、ワイヤ部材３４のばね定数と、延長端線部３４Ｂの螺旋形状部３４Ａとの接続部とワイヤ係止突起部３６による固定部との間の延長端線部３４Ｂの長さにより決まる。この場合、延長端線部３４Ｂの光源ボックス２０に対する固定位置が螺旋形状部３４Ａより離れている程、つまり、延長端線部３４Ｂの螺旋形状部３４Ａとの接続部とワイヤ係止突起部３６による固定部との間の延長端線部３４Ｂの長さ（有効線長）が長い程、延長端線部３４Ｂが上述の振動やこじれに対して弾性変形し易く、ズーム動作音の音圧レベルの低減、異音発生防止が効果的に良好に行われる。
【００３３】
延長端線部３４Ｂの有効線長が長い程、延長端線部３４Ｂが弾性変形し易くなる反面、電動モータ１８の暴走等によって送りねじ棒部材３０が規定値以上回転すると、延長端線部３４Ｂが前後方向に大きく弾性変形し、ワイヤ部材３４の螺旋形状部３４Ａがねじ溝３２との巻き掛り係合より離脱したり、ワイヤ係止突起部３６によるワイヤ部材３４の光源ボックス２０に対する係止が外れたりする虞が生じる。
【００３４】
このことに対して、延長端線部３４Ｂの前後方向（送りねじ棒部材３０の中心軸線方向）の弾性変形は、ワイヤ移動制限突起部３８によって前後方向ギャップｇの範囲に制限されることにより、ワイヤ部材３４の螺旋形状部３４Ａがねじ溝３２との巻き掛り係合より離脱したり、ワイヤ係止突起部３６によるワイヤ部材３４の光源ボックス２０に対する係止が外れたりすることが防止される。
【００３５】
ワイヤ移動制限突起部３８は、前後方向ギャップｇの範囲内で延長端線部３４Ｂの前後方向の弾性変形を許容するから、延長端線部３４Ｂの弾性変形によるズーム動作音の低減作用を阻害することがない。
【００３６】
本実施例では、ワイヤ部材３４は、ねじ溝３２に巻き掛り係合する部分として、ねじ溝３２を一周半する螺旋形状部３４Ａを含んでいるので、ワイヤ部材３４とねじ溝３２との巻き掛り係合が離脱し難く、安定したズーム動作が得られる。このことは、ワイヤ部材３４が、少なくとも一周する螺旋形状部を含んでいればよい。
【００３７】
送りねじ棒部材３０に係合するワイヤ部材は、必ずしも、ねじ溝３２を一周するような螺旋形状部を含んでいる必要はなく、図６に示されているように、ねじ溝３２に半周だけ巻き掛り係合する半円部４０Ａを含むワイヤ部材４０であってもよい。そして、ワイヤ部材４０は、半円部４０Ａの両端に、延長端線部３４Ｂと同等の延長端線部４０Ｂを有していればよい。
【００３８】
本発明によるストロボズーム装置は、上述の実施例のように、ストロボズームのための可動体が光源ボックス２０になっている型式のものに限られることはなく、光源ボックス２０が固定で、平面レンズ板１２が光源ボックス２０に対して光軸方向（前後方向）に移動することにより、ストロボズームが行われる型式にも、平面レンズ板１２を可動体として同様に適用することができる。
【符号の説明】
【００３９】
１０  筐体
１２  平面レンズ板
１４  ガイドバー
１８  電動モータ
２０  光源ボックス
２４  線形光源
３０  送りねじ棒部材
３２  ねじ溝
３４  ワイヤ部材
３４Ａ  螺旋形状部
３４Ｂ  延長端線部
３６  ワイヤ係止突起部
３８  ワイヤ移動制限突起部
【図１】
0005711488.tif 000002
【図２】
0005711488.tif 000003
【図３】
0005711488.tif 000004
【図４】
0005711488.tif 000005
【図５】
0005711488.tif 000006
【図６】
0005711488.tif 000007